(57)【要約】【課題】用紙ガイドを磁性体により着脱可能とすることで、印字装置内への用紙のセット操作を簡素化するとともに、印字装置内の清掃を容易に行なうことができる用紙ガイドを提供する。【解決手段】印字装置内のガイド板に長穴を設け、該長穴に用紙ガイドの差込ガイドを差込み、用紙の幅方向にスライドさせるだけで複数の用紙幅に合わせることができ、磁性体部により用紙ガイドを着脱可能としたため、印字装置内の用紙搬送路に規制部材や挟持部などの必要がなく、用紙のセット操作を簡素化するとともに、印字装置内の奥まで指先が入る空間を確保することができ、清掃を容易に行なうことができる。【選択図】　図１
2004115224.tif 000002
【特許請求の範囲】
【請求項１】
印字装置内の用紙の搬送を規制する用紙ガイドであって、前記印字装置は少なくとも印字部と用紙供給部とを備え、前記用紙供給部から引き出された前記用紙を前記印字部まで所定区間案内するガイド板を有し、前記用紙ガイドを前記ガイド板に磁性体にて吸着させ着脱自在としたことを特徴とする用紙ガイド。
【請求項２】
前記ガイド板には前記用紙ガイドを前記用紙の幅方向にスライド案内するための長穴を有しており、
前記用紙ガイドは、着脱時に前記用紙ガイドを保持する保持部と、
前記長穴に差し込む差込ガイド部と、
前記用紙ガイドを前記ガイド板に磁性体にて吸着させる磁性体部と、
前記用紙の搬送を規制し案内する規制案内部とを有することを特徴とする請求項１の用紙ガイド。
【請求項３】
前記用紙ガイドに、前記用紙を押える押圧部を設け、前記押圧部には前記用紙をガイド板方向に押圧するローラー部材により前記用紙の搬送を規制することを特徴とする請求項２の用紙ガイド。
【発明の詳細な説明】
【０００１】
【発明の属する利用分野】
本発明は、印字装置内の用紙搬送を規制する用紙ガイドにかかわるもので、特に磁性体により着脱を可能とした用紙ガイドに関する。
【０００２】
【従来の技術】
従来、タグやラベルなどの用紙を用紙供給部からヘッドとプラテンからなる印字部への搬送にともない、用紙の蛇行や斜行などを規制する技術として下記の公知技術がある。
本体フレームに片持ち状態で支持され、ラベルの印字面を外側に向けて巻付けたラベル用紙ロールを回転自在に保持するロール保持機構と、本体フレームに、ロール保持機構のラベル用紙ロールを保持する中心部よりも下方に位置して片持ち状態で支持されると共にガイドローラーに押圧されるピンチローラーを回転自在に保持し、ロール保持機構から送り出されるラベル用紙を、ピンチローラーとガイドローラーとで挟持してサーマルヘッドを備えた印字部に案内するピンチローラー保持機構と、このピンチローラー保持機構のピンチローラーフレームの背面に固定され、ラベル用紙を、その幅方向において本体フレーム側とは反対側を押し下げるように案内する用紙ガイドとを設けた構成により、ピンチローラーに送り込まれるラベル用紙の蛇行を確実に阻止するものである。（例えば、特許文献１参照。）
また、ラベルロール紙から引き出されたラベル用紙を印字部まで導く供給経路中に、ラベル用紙を所定区間案内するガイド板および先端部がラベル用紙に係合する押圧片を近接状に配置し、この押圧片は、ラベル用紙が移送されていない場合にラベル用紙をガイド板に弾性的に押圧するとともに、ラベル用紙が移送中の場合にはその移送力により変位してラベル用紙の押圧を解放し、それによりラベル用紙にテンションを付与するように構成したもので、供給経路に位置するラベル用紙の移動を規制する押圧手段を設けることにより、ラベル用紙の蛇行防止しガイド機能を確実にするものもある。
更に本技術では、押圧片のガイド取付け面には、一対の幅ガイドを着脱可能に取付け、幅ガイドは、ガイド取付け面の表裏両面に上端より差込み固定する金属製のクリップ構造を有し、各幅ガイドの外側縁には、それぞれガイド板方向へ突出するガイド面を一体に形成し、そのガイド面間にラベル用紙を走行させることによりラベル用紙の蛇行を防止させるものである。また、各幅ガイドは、その表面一部を打ち曲げた支持舌を形成し、その下端に形成した突条を、前記ガイド取付け面の溝に係合することにより各幅ガイドの幅方向の位置決めがなされるようにする。したがって、この各幅ガイドをガイド取付け面に抜き差しすることにより、両幅ガイドのガイド面間隔を調整することができ、幅の異なるラベル用紙の交換に対応可能としたものである。（例えば、特許文献２参照。）
【特許文献１】
特開平８−２９５０５９号公報（第２−４頁、第１−４図）
【特許文献２】
特開２０００−３３５５３４号公報（第３−５頁、第１図、第４図、第６図）
【０００３】
上記従来の用紙の蛇行や斜行などを規制する技術では、用紙の搬送を規制する規制部材が用紙の搬送路に幾つも存在し、また、用紙を挟持する挟持部の開口角度が狭いため、用紙の取替えや補充により印字装置内に用紙をセットする時に、幾つもの規制部材の間や挟持部を通して用紙をセットする必要がある他、上記の規制部材や挟持部に位置決め操作やロック機構がある場合は、幾つもの操作をする必要があるなど、用紙のセット操作が煩わしく使い難いものであった。
更に、ラベルの貼り付きや紙粉、糊などにより印字装置内の清掃を行なう場合に、本体フレームに取り付けられた規制部材や挟持部により、印字装置内の奥まで指先が入らず清掃し難い問題があった。
【０００４】
【発明が解決しようとする課題】
本発明は以上のような諸問題に鑑みなされたもので、用紙ガイドを磁性体により着脱可能とすることで、印字装置内への用紙のセット操作を簡素化するとともに、印字装置内の清掃を容易に行なうことができる用紙ガイドを提供することを課題とする。
【０００５】
【課題を解決するための手段】
すなわち本発明は、印字装置内の用紙の搬送を規制する用紙ガイドであって、前記印字装置は少なくとも印字部と用紙供給部とを備え、前記用紙供給部から引き出された前記用紙を前記印字部まで所定区間案内するガイド板を有し、前記用紙ガイドを前記ガイド板に磁性体にて吸着させ着脱自在としたことを特徴とする用紙ガイドである。
【０００６】
更に本発明は、前記ガイド板には前記用紙ガイドを前記用紙の幅方向にスライド案内するための長穴を有しており、前記用紙ガイドは、着脱時に前記用紙ガイドを保持する保持部と、前記長穴に差し込む差込ガイド部と、前記用紙ガイドを前記ガイド板に磁性体にて吸着させる磁性体部と、前記用紙の搬送を規制し案内する規制案内部とを有することを特徴とする用紙ガイドである。
【０００７】
更に本発明は、前記用紙ガイドに、前記用紙を押える押圧部を設け、前記押圧部には前記用紙をガイド板方向に押圧するローラー部材により前記用紙の搬送を規制することを特徴とする用紙ガイドである。
【０００８】
【発明の実施の形態】
つぎに本発明の実施の形態を図面を用いて説明する。但し、同様の部分には同一符号を付し、その詳述はこれを省略する。
本発明の第一の実施の形態を図１乃至図２を用いて説明する。
図１は、本発明の第一の実施の形態を示す用紙ガイドと用紙搬送路を説明するための概略説明図である。
図１のＬは、矢印Ａの方向に搬送されるラベルやタグなどの用紙であり、用紙Ｌを搬送するプラテンローラー１、本体フレーム側で用紙Ｌの搬送を規制するガイドローラー２、用紙Ｌを供給部（図示せず）から印字部（図示せず）へ搬送の裏面案内を行なうガイド板３、該ガイド板３に用紙ガイドを差込み用紙Ｌの幅に合わせて案内しスライドさせるための長穴４、本発明の第一の実施の形態の用紙ガイド１０である。
尚、ガイド板３は、用紙ガイド１０と磁性体により吸着できる材質であれば良く、例えば、鉄やステンレスなどで構成すれば良い。
図２は、本発明の図１のＢ−Ｂ’による断面図であり、（ａ）は用紙ガイドが装着され用紙Ｌを規制した状態を示す図、（ｂ）は用紙ガイドの着脱時の状態を示す図である。
ガイド板３は、プラテン１を含む印字部の一部および供給部などを支持する本体フレーム５に固定支持されており、用紙ガイド１０は、用紙ガイド１０の着脱時に指先で保持する保持部１１、長穴４に用紙ガイド１０を差込み用紙Ｌの幅方向にスライドし案内する差込ガイド部１２、ガイド板３と磁性体により吸着し固定する磁性体部１３、用紙Ｌを幅方向に規制し案内する規制案内部１４、から構成されている。
次に、本用紙ガイドの操作方法について説明する。
本用紙ガイドを装着する場合は、用紙Ｌを印字装置内のガイドローラー２に当接してセットする。
用紙ガイド１０の保持部１１を指先で保持し、ガイド板３の長穴４に用紙ガイド１０の差込ガイド部１２を差込み、用紙Ｌの幅に合わせて図２（ｂ）の矢印Ｉの方向にスライドさせ、規制案内部１４に用紙Ｌの側面が当接した状態で保持部１１より指先を離す。
用紙ガイド１０を印字装置より取り外す場合は、保持部１１を指先で保持し図２（ｂ）の矢印Ｒの方向に持ち上げ、図２の矢印Ｏの方向にスライドさせ用紙ガイド１０を抜き取るようにする。
以上のような第一の実施の形態によれば、ガイド板３と用紙ガイド１０の磁性体部１３との吸着により、簡単に用紙ガイド１０を着脱可能とすることで、印字装置内の用紙搬送路に規制部材や挟持部などの必要がなく、用紙のセット操作を簡素化するとともに、印字装置内の奥まで指先が入る空間を確保することができ、清掃を容易に行なうことができる。
また、長穴４に対し用紙ガイド１０の差込ガイド部１２を差込むだけで用紙ガイド１０が固定され幅方向にのみスライド可能となり、用紙Ｌをガイドローラー２と用紙ガイド１０により両側面から規制するので、用紙Ｌの蛇行や斜行などを規制することができる。
【０００９】
つぎに本発明の第二の実施の形態を図３乃至図４を用いて説明する。
図３は、本発明の第二の実施の形態を示す用紙ガイドと用紙搬送路を説明するための概略説明図である。
図３の２０は、本発明の第二の実施の形態の用紙ガイドである。
図４は、本発明の図３のＣ−Ｃ’による断面図であり、（ａ）は用紙ガイドが装着され用紙Ｌを規制した状態を示す図、（ｂ）は用紙ガイドの着脱時の状態を示す図である。
ガイド板３は、プラテン１を含む印字部の一部および供給部などを支持する本体フレーム５に固定支持されており、用紙ガイド２０は、用紙ガイド２０の着脱時に指先で保持する保持部２１、長穴４に用紙ガイド２０を差込み用紙Ｌの幅方向にスライドし案内する差込ガイド部２２、ガイド板３と磁性体により吸着し固定する磁性体部２３、用紙Ｌを幅方向に規制し案内する規制案内部２４、用紙Ｌをガイド板方向に押圧する押圧部２５から構成されている。
また、前記押圧部２５は、用紙Ｌを上部より回動自在なローラーで規制する押えローラー２６と、弾性力によりバックフィード動作などで用紙Ｌの弛みにより波打つような盛り上がりを規制する板バネ２７と、押圧部２５と用紙ガイド２０本体とを係止する係止ネジ２８とから構成されている。
尚、押圧部２５は係止ネジ２８により用紙ガイド２０に係止しているため、用紙ガイド２０本体から着脱可能となり、規制案内部２４の清掃も容易に可能となる。
次に、本用紙ガイドの操作方法について説明する。
本用紙ガイドを装着する場合は、用紙Ｌを印字装置内のガイドローラー２に当接してセットする。
用紙ガイド２０の保持部２１を指先で保持し、ガイド板３の長穴４に用紙ガイド２０の差込ガイド部２２を差込み、用紙Ｌの幅に合わせて図４（ｂ）の矢印Ｉの方向にスライドさせ、規制案内部２４に用紙Ｌの側面が当接した状態で保持部２１より指先を離す。
用紙ガイド２０を印字装置より取り外す場合は、保持部２１を指先で保持し図４（ｂ）の矢印Ｒの方向に持ち上げ、図４の矢印Ｏの方向にスライドさせ用紙ガイド２０を抜き取るようにする。
以上のような第二の実施の形態によれば、ガイド板３と用紙ガイド２０の磁性体部２３との吸着により、簡単に用紙ガイド１０を着脱可能とすることで、印字装置内の用紙搬送路に規制部材や挟持部などの必要がなく、用紙のセット操作を簡素化するとともに、印字装置内の奥まで指先が入る空間を確保することができ、清掃を容易に行なうことができる。
また、長穴４に対し用紙ガイド２０の差込ガイド部２２を差込むだけで用紙ガイド２０が固定され幅方向にのみスライド可能となり、用紙Ｌをガイドローラー２と用紙ガイド２０により両側面から規制するので、用紙Ｌの蛇行や斜行などを規制することができる。
更にまた、押圧部２５の板バネ２７と押えローラー２６により、バックフィード動作などで用紙Ｌの弛みにより波打つような盛り上がりを規制することができる。
【００１０】
尚、本実施の形態では磁性体部を設けたが、印字装置で使用する用紙の紙質や特性により用紙ガイドとガイド板の吸着力を強化したい場合には、用紙ガイドの部材全てを磁性体の部材で構成しても良く、また、吸着力を弱めたい場合は、磁性体部を小さくするなどにより、印字装置で使用する用紙の紙質や特性に合わせた構成とすることができる。
更に、規制案内部と磁性体部を用紙の搬送方向に対し、上流及び下流側に長くまたは短くすることでも用紙ガイドとガイド板の吸着力を強弱することができる。
【００１１】
【発明の効果】
以上のように本発明によれば、印字装置内のガイド板に長穴を設け、該長穴に用紙ガイドの差込ガイドを差込み、用紙の幅方向にスライドさせるだけで複数の用紙幅に合わせることができ、磁性体部により用紙ガイドを着脱可能としたため、印字装置内の用紙搬送路に規制部材や挟持部などの必要がなく、用紙のセット操作を簡素化するとともに、印字装置内の奥まで指先が入る空間を確保することができ、清掃を容易に行なうことができる。
また、用紙をガイドローラーと用紙ガイドにより両側面から規制するので、用紙の蛇行や斜行などを規制することができる。
更にまた、押圧部の板バネと押えローラーにより、バックフィード動作などで用紙の弛みにより波打つような盛り上がりを規制することができる。
【図面の簡単な説明】
【図１】本発明の第一の実施の形態を示す用紙ガイドと用紙搬送路を説明するための概略説明図である。
【図２】本発明の図１のＢ−Ｂ’による断面図であり、（ａ）は用紙ガイドが装着され用紙Ｌを規制した状態を示す図、（ｂ）は用紙ガイドの着脱時の状態を示す図である。
【図３】本発明の第二の実施の形態を示す用紙ガイドと用紙搬送路を説明するための概略説明図である。
【図４】本発明の図３のＣ−Ｃ’による断面図であり、（ａ）は用紙ガイドが装着され用紙Ｌを規制した状態を示す図、（ｂ）は用紙ガイドの着脱時の状態を示す図である。
【符号の説明】
Ｌ　用紙
１　プラテンローラー
２　ガイドローラー
３　ガイド板
４　長穴
５　本体フレーム
１０　第一の実施の形態の用紙ガイド
１１　保持部
１２　差込ガイド部
１３　磁性体部
１４　規制案内部
２０　第二の実施の形態の用紙ガイド
２１　保持部
２２　差込ガイド部
２３　磁性体部
２４　規制案内部
２５　押圧部
２６　押えローラー
２７　板バネ
２８　係止ネジ
【図１】
2004115224.tif 000003
【図２】
2004115224.tif 000004
【図３】
2004115224.tif 000005
【図４】
2004115224.tif 000006